(57)【要約】【課題】多種多様な情報を得たいという視聴者の要求を満たすことや、多数の広告主が適切に広告提供できるようにするなど、視聴者と広告主の双方に都合の良い広告システムの実現を促進する。【解決手段】広告情報の出力における出力条件パラメータを設定するパラメータ設定ステップと、設定された上記出力条件パラメータを、上記出力条件パラメータの線形的な増加に対して上記線形的な増加よりも大きな度合いで広告料金が増加する算出式に代入して広告料金を算出する料金算出ステップとを演算処理装置に実行させる広告料金算出プログラムにより広告料金算出を行う。【選択図】図６
2007183863.tif 000002
【特許請求の範囲】
【請求項１】
広告情報の出力における出力条件パラメータを設定するパラメータ設定ステップと、
設定された上記出力条件パラメータを、上記出力条件パラメータの線形的な増加に対して上記線形的な増加よりも大きな度合いで広告料金が増加する算出式に代入して広告料金を算出する料金算出ステップと、
を演算処理装置に実行させる広告料金算出プログラム。
【請求項２】
上記出力条件パラメータは、広告情報の出力時間、出力回数、表示出力面積、広告表示領域内での表示出力位置、広告出力を行う出力装置の設置位置のいずれかを含むことを特徴とする請求項１に記載の広告料金算出プログラム。
【請求項３】
上記出力条件パラメータは、広告情報の出力時間であるとともに、
上記算出式は、
Ｐ・Ａ(Tk/T-1)
であることを特徴とする請求項１に記載の広告料金算出プログラム。
ただし、
Ｐは標準の広告情報出力時間での１スロットあたりの広告料金、
Ａは広告情報出力時間に対する固定設定値（Ａ＞１）、
Ｔは所定時間あたり標準の広告情報出力時間、
Ｔｋは広告主ｋの所定時間内の広告表示時間。
【請求項４】
上記出力条件パラメータは、広告情報の出力回数であるとともに、
上記算出式は、
Ｐ・Ｂ(Hk/H-1)
であることを特徴とする請求項１に記載の広告料金算出プログラム。
ただし、
Ｐは標準の広告情報出力時間での１スロットあたりの広告料金、
Ｂは広告出力１スロットに対する固定設定値（Ｂ＞１）、
Ｈは所定時間あたり標準のスロット数、
Ｈｋは広告主ｋの所定時間内の広告表示回数。
【請求項５】
上記出力条件パラメータは、広告情報の出力時間と出力回数であるとともに、
上記算出式は、
Ｐ・（Ｔｋ／Ｔ）m・（Ｈｋ／Ｈ）m
であることを特徴とする請求項１に記載の広告料金算出プログラム。
ただし、ｍ＞１であって、
Ｐは標準の広告情報出力時間での１スロットあたりの広告料金、
Ｔは所定時間あたり標準の広告情報出力時間、
Ｔｋは広告主ｋの所定時間内の広告表示時間、
Ｈは所定時間あたり標準のスロット数、
Ｈｋは広告主ｋの所定時間内の広告表示回数。
【請求項６】
上記出力条件パラメータは、広告情報の表示出力面積であるとともに、
上記算出式は、
Ｑ・Ｃ(Sj/S-1)
であることを特徴とする請求項１に記載の広告料金算出プログラム。
ただし、
Ｑは標準の広告情報表示面積あたりの広告料金、
Ｃは広告情報の表示面積に対する固定設定値（Ｃ＞１）、
Ｓは標準広告表示面積、
Ｓｊは広告ｊの広告表示面積。
【請求項７】
上記出力条件パラメータは、広告情報の広告表示領域内での表示出力位置であることを特徴とする請求項１に記載の広告料金算出プログラム。
【請求項８】
広告情報の広告表示領域内での表示出力位置としての出力条件パラメータは、広告表示領域の中心位置からの距離の逆数であり、
上記算出式は、
Ｒ・Ｅ(ri/r-1)
であることを特徴とする請求項７に記載の広告料金算出プログラム。
ただし、
Ｒは広告表示領域の中心位置での広告料金、
Ｅは広告表示領域の中心位置から広告表示位置までの距離に対する固定設定値（Ｅ＞１）、
ｒは広告表示領域の中心位置から広告表示位置までの距離の逆数の設定基準値、
ｒiは広告表示領域の中心位置から広告情報ｉの表示位置の中心までの距離の逆数。
【請求項９】
上記出力条件パラメータは、広告出力を行う出力装置の設置位置であることを特徴とする請求項１に記載の広告料金算出プログラム。
【請求項１０】
広告出力を行う出力装置の設置位置としての出力条件パラメータは、上記出力装置の設置位置の、所定地点からの距離の逆数であり、
上記算出式は、
Ｒ・Ｅ(ri/r-1)
であることを特徴とする請求項９に記載の広告料金算出プログラム。
ただし、
Ｒは上記所定地点から所定距離での広告料金、
Ｅは上記所定地点から上記設置位置までの距離の逆数に対する固定設定値（Ｅ＞１）、
ｒは上記所定地点から上記設置位置までの距離の逆数の設定基準値、
ｒiは上記所定地点から上記出力装置ｉの設置位置までの距離の逆数。
【請求項１１】
広告情報の出力における出力条件パラメータを設定するパラメータ設定ステップと、
設定された上記出力条件パラメータを、上記出力条件パラメータの線形的な増加に対して上記線形的な増加よりも大きな度合いで広告料金が増加する算出式に代入して広告料金を算出する料金算出ステップと、
を演算処理装置に実行させる広告料金算出プログラムを記録した記録媒体。
【請求項１２】
広告情報の出力における出力条件パラメータを設定するパラメータ設定手段と、
設定された上記出力条件パラメータを、上記出力条件パラメータの線形的な増加に対して上記線形的な増加よりも大きな度合いで広告料金が増加する算出式に代入して広告料金を算出する料金算出手段と、
を備えることを特徴とする広告料金算出装置。
【発明の詳細な説明】
【技術分野】
【０００１】
本発明は、広告出力システム等において利用できる広告料金算出プログラム、広告料金算出プログラムを記録した記録媒体、及び広告料金算出装置に関するものである。
【背景技術】
【０００２】
【特許文献１】特開２００２−３６６８３３号公報
【特許文献２】特開２００２−９９８３７号公報
【特許文献３】特開２００２−７４１９７号公報
【特許文献４】特開２００３−３６３８６号公報
【０００３】
映像や音声による広告は、近年、テレビジョン放送のみならず、インターネット配信や街中の電子広告表示などで配信・放映・表示されている。
広告を表示出力した場合の広告料金の決め方は、時間帯や表示エリア、場所などにも依存するが、同一の時間帯、表示エリア、場所の中にあっては、通常その表示時間や表示回数に比例して広告料金が決定される。
【０００４】
広告表示における料金に関する技術としては、上記各特許文献に開示されているものが
ある。例えば特許文献１では、視聴者の視聴履歴により、その視聴者への同一広告の重複表示を禁止したり、表示回数を限定する旨の記載がなされている。
【発明の開示】
【発明が解決しようとする課題】
【０００５】
一般には、広告の露出頻度に応じて広告効果は向上するが、同じ広告ばかりが重複して露出されると、最初は好意的であった視聴者でさえも、やがては飽きてしまうので、広告の効果が低下してしまう。
広告主は、通常、自身の広告情報が露出された回数等に応じて広告料（スポンサ料）を支払うことになるが、充分な広告効果が得られなかったにも拘わらず機械的に算出された広告料を支払わなければならず、広告主の利益が害されてしまうことがある。
また、上記のごとき広告料の決定方法は、潤沢な資金を持ち多額の広告料を支払うことのできる広告主の広告ばかりが表示され、小口広告主の広告が表示されないという不都合が生じる場合もある。
さらに広告の視聴者にとっても、できれば多種多様な商品・サービスの情報を入手し、その中から所望の情報を選択したいところであるが、同じ広告主の広告ばかりを見せられると、入手できる商品・サービスの情報が限定され、所望の情報が得られないという不都合がある。
【０００６】
そこで本発明は、上記のような、多種多様な情報を得たいという視聴者の要求を満たすことや、多数の広告主が適切に広告提供できるようにするなど、視聴者と広告主の双方に都合の良い広告システムの実現を促進することを目的とする。特には、この促進のために好適な広告料金算出方式を実現する。
【課題を解決するための手段】
【０００７】
本発明の広告料金算出プログラムは、広告情報の出力における出力条件パラメータを設定するパラメータ設定ステップと、設定された上記出力条件パラメータを、上記出力条件パラメータの線形的な増加に対して上記線形的な増加よりも大きな度合いで広告料金が増加する算出式に代入して広告料金を算出する料金算出ステップとを演算処理装置に実行させるプログラムである。
上記出力条件パラメータは、例えば広告情報の出力時間、出力回数、表示出力面積、広告表示領域内での表示出力位置、広告出力を行う出力装置の設置位置のいずれかを含む。
【０００８】
上記出力条件パラメータを、広告情報の出力時間とした場合、上記算出式は、
Ｐ・Ａ(Tk/T-1)
とすることが考えられる。ただし、Ｐは標準の広告情報出力時間での１スロットあたりの広告料金、Ａは広告情報出力時間に対する固定設定値（Ａ＞１）、Ｔは所定時間あたり標準の広告情報出力時間、Ｔｋは広告主ｋの所定時間内の広告表示時間である。
また上記出力条件パラメータを、広告情報の出力回数とした場合、上記算出式は、
Ｐ・Ｂ(Hk/H-1)
とすることが考えられる。ただし、Ｐは標準の広告情報出力時間での１スロットあたりの広告料金、Ｂは広告出力１スロットに対する固定設定値（Ｂ＞１）、Ｈは所定時間あたり標準のスロット数、Ｈｋは広告主ｋの所定時間内の広告表示回数である。
また上記出力条件パラメータを、広告情報の出力時間と出力回数とした場合、上記算出式は、
Ｐ・（Ｔｋ／Ｔ）m・（Ｈｋ／Ｈ）m
とすることが考えられる。ただし、ｍ＞１であって、Ｐは標準の広告情報出力時間での１スロットあたりの広告料金、Ｔは所定時間あたり標準の広告情報出力時間、Ｔｋは広告主ｋの所定時間内の広告表示時間、Ｈは所定時間あたり標準のスロット数、Ｈｋは広告主ｋの所定時間内の広告表示回数である。
また上記出力条件パラメータを、広告情報の表示出力面積とした場合、上記算出式は、
Ｑ・Ｃ(Sj/S-1)
とすることが考えられる。ただし、Ｑは標準の広告情報表示面積あたりの広告料金、Ｃは広告情報の表示面積に対する固定設定値（Ｃ＞１）、Ｓは標準広告表示面積、Ｓｊは広告ｊの広告表示面積である。
上記出力条件パラメータは、広告情報の広告表示領域内での表示出力位置とすることもできる。例えばこの広告情報の広告表示領域内での表示出力位置としての出力条件パラメータは、広告表示領域の中心位置からの距離の逆数でとする。この場合、上記算出式は、
Ｒ・Ｅ(ri/r-1)
とすることが考えられる。ただし、Ｒは広告表示領域の中心位置での広告料金、Ｅは広告表示領域の中心位置から広告表示位置までの距離に対する固定設定値（Ｅ＞１）、ｒは広告表示領域の中心位置から広告表示位置までの距離の逆数の設定基準値、ｒiは広告表示領域の中心位置から広告情報ｉの表示位置の中心までの距離の逆数である。
また上記出力条件パラメータは、広告出力を行う出力装置の設置位置とすることもできる。例えばこの広告出力を行う出力装置の設置位置としての出力条件パラメータは、上記出力装置の設置位置の、所定地点からの距離の逆数である。この場合、上記算出式は、
Ｒ・Ｅ(ri/r-1)
とすることが考えられる。ただし、Ｒは上記所定地点から所定距離での広告料金、Ｅは上記所定地点から上記設置位置までの距離の逆数に対する固定設定値（Ｅ＞１）、ｒは上記所定地点から上記設置位置までの距離の逆数の設定基準値、ｒiは上記所定地点から上記出力装置ｉの設置位置までの距離の逆数である。
【０００９】
本発明の記録媒体は、上記広告料金算出プログラムを記録した記録媒体である。
また本発明の広告料金算出装置は、広告情報の出力における出力条件パラメータを設定するパラメータ設定手段と、設定された上記出力条件パラメータを、上記出力条件パラメータの線形的な増加に対して上記線形的な増加よりも大きな度合いで広告料金が増加する算出式に代入して広告料金を算出する料金算出手段とを備る。
【００１０】
即ち本発明によれば、広告情報の出力のための料金が、出力条件パラメータの線形的な増加よりも大きな度合いで増加するように算出される。出力条件パラメータは、例えば広告情報の出力回数、出力時間など、広告効果に影響を与えるパラメータである。すると、広告効果を大きくしようとする場合、広告料は、その広告効果の増大の割合よりも大きな割合で増額されることになる。これは資力が潤沢な特定の広告主が広告出力を独占しにくいという状況を生み出す。
なお、広告情報とは、商品広告、店舗広告、店舗等で実施するサービス広告、求人広告、イベント広告など、一般公衆に対して告知する多様な情報のことをいう。
また広告出力とは、映像による広告コンテンツを表示したり音声による広告コンテンツを音声出力することをいう。
【発明の効果】
【００１１】
本発明により算出される広告料金により広告出力が行われるようにすれば、自由競争を阻害することなく、特定の広告主の広告、もしくは特定の広告のみが優先的に多く表示・放映・配信されるのを回避し、小口広告主の広告が表示される機会が増える可能性を高めることができる。またこれによって広告の視聴者が、多種多様な広告を視聴できる状況を促進することが可能となる。
【発明を実施するための最良の形態】
【００１２】
以下、本発明の実施の形態を説明する。実施の形態では広告コンテンツをネットワーク配信して視聴者に提供する広告配信システムを例に挙げ、この広告配信システムにおいて本発明にかかる広告料金算出方式が実施されるものとする。説明は次の順序で行う。
［１．広告配信システムの構成］
［２．広告配信システムの動作］
［３．広告料金算出処理］
［４．実施の形態の効果及び変形例］
【００１３】
［１．広告配信システムの構成］
図１に、本実施の形態に係る広告配信システムの構成を概略的に示している。広告配信システム１上では、ネットワーク３０を介して広告情報（広告コンテンツ）が配信サービスされる仕組みが提供される。ここで言うネットワーク３０は、例えば、インターネットのような広域ネットワークであり、ＴＣＰ／ＩＰ（Transmission Control Protocol／Internet Protocol）などの所定の通信プロトコルに従って機器間を相互接続させることができる。
【００１４】
図示するように、この広告配信システムは、広告主１０によって運営され、自らの広告を管理・選択・登録処理する広告主端末１１、および配信すべき広告情報を蓄積し提供する広告サーバ１２と、配信サービスされる広告情報を視聴する広告視聴端末２０と、配信すべき広告情報を選択するサービスを行う広告選択業者１が運営する広告登録サーバ２及び広告選択サーバ３とで構成される。
【００１５】
広告主１０が運営する広告サーバ１２、及び広告選択業者１が運営する広告登録サーバ２や広告選択サーバ３は、例えば、ワークステーションやパーソナルコンピュータ上で、所定のサーバアプリケーションを起動するという形態によって実装することができる。また、広告主１０の広告主端末１１や、広告視聴端末２０は、例えば、パーソナルコンピュータ上でＷｅｂブラウザなどのクライアントアプリケーションを起動するという形式によって実装することができる。
【００１６】
これら各サーバ１２，２，３及び広告視聴端末２０、広告主端末１１などの各装置は、イーサネット（Ethernet）（登録商標）などの物理的な接続手段を用いて、インターネットなどのＴＣＰ／ＩＰネットワークに接続されている。そして、各装置どうしは、所定の認証処理を経て安全に相互接続されている。
【００１７】
広告視聴端末２０は、広告を視聴できるものであればよく、視聴者のクライアント端末、家庭内のテレビ、街中や駅など人が多く集まる場所に設置される電子広告ディスプレイなど、その形態、設置場所は特に限定されない。
【００１８】
広告選択サーバ３と広告登録サーバ２は、インターネットなどのネットワーク３０で接続されていても良いし、広告選択業者１内で構築したＬＡＮ（Local Area Network）などで接続されていても良い。
【００１９】
広告登録サーバ２は、広告料金を算出するプログラムにより実装される料金算出処理機能４と、広告主１０からの依頼に応じて登録処理を行ったり、登録内容の管理を行う広告登録／管理機能５と、広告主１０から依頼された登録内容情報を登録する登録データベース６を有する。
登録データベース６は、各広告主１０に対して、広告出力のために設定された登録内容情報を記憶するデータベースである。登録内容情報とは、広告の出力条件パラメータや設定料金などである。出力条件パラメータとは、例えば広告の表示出力に関していえば、広告情報の表示時間、表示回数、表示出力面積、広告表示領域内での表示出力位置、広告出力を行う表示装置（即ち広告出力を行うものとして選定された広告視聴端末２０）の設置位置などの情報である。
また、広告視聴端末２０を視聴者個人の端末などとした場合、視聴者情報（趣味嗜好、年齢、住所など）をデータベース内容として登録しても良いし、広告属性（視聴者のターゲティング）、広告視聴履歴などを蓄積するようにしてもよい。もちろん広告主に関する出力条件パラメータを格納する登録データベース６とは別に、視聴者情報データベースや広告属性データベース、広告視聴履歴データベースなどが設けられても良い。
各データベースは、例えば、リレーショナルデータベースシステムであるOracleが動作するワークステーション又はパーソナルコンピュータを用いて構成することができる。
【００２０】
広告選択サーバ３は、登録データベース６を参照して広告視聴端末２０から出力させる広告コンテンツを選択する広告選択処理機能７と、選択した広告コンテンツを広告視聴端末２０に配信する配信制御機能８を有する。
広告選択サーバ３は、アプリケーションサーバである"Weblogic Server"が動作するワークステーションやパーソナルコンピュータを用いて構成される。広告選択要求の処理や広告露出ログの保存を行うソフトウェアは、例えばＪａｖａプログラム（Ｊａｖａは登録商標）によって記述することができる。
【００２１】
なお、広告登録サーバ２と広告選択サーバ３を別体に示しているが、１つのワークステーション等でこれら両方のサーバ機能を有するようにすることもできる。
また、ここでは広告登録サーバ２が有するものとした料金算出処理機能４が、本発明の料金算出プログラムによって実現されるものであるが、この料金算出処理機能４を広告選択サーバ３側に備えるようにしてもよい。
【００２２】
図１の広告サーバ１２，広告登録サーバ２，広告選択サーバ３、広告主端末１１として用いることのできるコンピュータシステムの構成について図２で説明する。なお、広告視聴端末２０として例えば視聴者の個人端末を想定する場合、その個人端末も、この図２のようなコンピュータシステムを用いることができる。
【００２３】
図２はコンピュータシステム１００のハードウェア構成例を模式的に示している。図示するようにコンピュータシステム１００は、ＣＰＵ（Central Processing Unit）１０１、メモリ１０２、ネットワークインターフェース１０３、ディスプレイコントローラ１０４、入力機器インターフェース１０５、外部機器インターフェース１０６、キーボード１０７、マウス１０８、ＨＤＤ（Hard Disc Drive）１０９、メディアドライブ１１０、バス１１１、表示装置１１２を有する。
【００２４】
コンピュータシステム１００のメインコントローラであるＣＰＵ１０１は、オペレーティングシステム（ＯＳ）の制御下で、各種のアプリケーションを実行するようになっている。例えば、広告登録サーバ２の場合は、料金算出処理機能４を実現するアプリケーション、広告登録／管理処理機能５を実現するアプリケーションがＣＰＵ１０１で実行される。広告選択サーバ３の場合は、広告選択処理機能７を実現するアプリケーション、配信制御処理機能８を実現するアプリケーションがＣＰＵ１０１で実行される。広告主端末１１の場合は、例えばインターネットブラウザアプリケーションなどによりＣＰＵ１０１で後述する登録のための処理が行われる。
【００２５】
図示の通り、ＣＰＵ１０１は、バス１１１によって他の機器類（後述）と相互接続されている。バス１１１上の各機器にはそれぞれ固有のメモリアドレス又はＩ／Ｏアドレスが付与されており、ＣＰＵ１０１はこれらアドレスによって機器アクセスが可能となっている。バス１１１の一例はＰＣＩ（Peripheral Component Interconnect）バスである。
【００２６】
メモリ１０２は、ＣＰＵ１０１において実行されるプログラム・コードを格納したり、実行中の作業データを一時保管するために使用される記憶装置である。この図の場合、メモリ１０２は、揮発メモリ、不揮発性メモリの双方を含むものとして示している。例えばプログラムを格納するＲＯＭ（Read Only Memory）、演算ワーク領域や各種一時記憶のためのＲＡＭ（Random Access Memory）、ＥＥＰ−ＲＯＭ（Electrically Erasable and Programmable Read Only Memory）等の不揮発性メモリを含む。
【００２７】
ネットワークインターフェース１０３は、イーサネット（Ethernet）などの所定の通信プロトコルに従って、コンピュータシステム１００をインターネットやＬＡＮ（Local Area Network）などのネットワークに接続することができる。ネットワークインターフェース１０３は、一般に、ＬＡＮアダプタカードという形態で提供され、マザーボード（図示しない）上のＰＣＩバススロットに装着して用いられる。但し、ネットワークインターフェースではなく、モデム（図示しない）経由で外部ネットワークに接続することもできる。
ＬＡＮ上では、複数のホスト端末（コンピュータ）がトランスペアレントな状態で接続され、分散コンピューティング環境が構築されている。また、ホストの一部はルータとして稼動し、さらに他のＬＡＮやインターネットなどの外部ネットワークに接続されている。インターネット上では、ソフトウェアプログラムやデータコンテンツなどの配信が行われる。
本実施の形態では、広告情報やその選択結果がネットワーク経由で配信されているものとする。例えば、コンピュータシステム１００で構成される広告サーバ１２は、広告視聴端末２０に対して、広告情報をネットワーク経由で例えばストリーミング配信する。また、広告選択サーバ３は、広告情報の選択結果を、ネットワーク経由で広告サーバ１２などの他の装置に通知することができる。
【００２８】
ディスプレイコントローラ１０４は、ＣＰＵ１０１が発行する描画命令を実際に処理するための専用コントローラであり、例えばＳＶＧＡ（Super Video Graphic Array）又はＸＧＡ（eXtended Graphic Array）相当のビットマップ描画機能をサポートする。ディスプレイコントローラ１０４において処理された描画データは、例えばフレームバッファ（図示しない）に一旦書き込まれた後、表示装置１１２に画面出力される。表示装置１１２は、例えば、ＣＲＴ（Cathode Ray Tube）ディスプレイや、液晶表示ディスプレイ（Liquid Crystal Display）などである。
【００２９】
入力機器インターフェース１０５は、キーボード１０７やマウス１０８などの  ユーザ入力機器をコンピュータシステム１００に接続するための装置である。後述するように、広告登録サーバ２や広告選択サーバ３におけるオペレータの操作入力や、広告主端末１１における広告主の広告登録のための操作入力などがおこなわれるが、これらの必要な操作入力はコンピュータシステム１００上において、キーボード１０７及びマウス１０８を用いて行われる。
【００３０】
外部機器インターフェース１０６は、ハードディスクドライブ（ＨＤＤ）１０９やメディアドライブ１１０などの外部装置をコンピュータシステム１００に接続するための装置である。外部機器インターフェース１０６は、例えば、ＩＤＥ（Integrated Drive Electronics）やＳＣＳＩ（Small Computer System Interface）などのインターフェース規格に準拠する。
【００３１】
ＨＤＤ１０９は、周知の通り記憶担体としての磁気ディスクを固定的に搭載した外部記憶装置であり、記憶容量やデータ転送速度などの点で他の外部記憶装置よりも優れている。ソフトウェアプログラムを実行可能な状態でＨＤＤ１０９上に置くことをプログラムのシステムへの「インストール」と呼ぶ。通常、ＨＤＤ１０９には、ＣＰＵ１０１が実行すべきオペレーティングシステムのプログラムコードや、アプリケーションプログラム、デバイスドライバなどが不揮発的に格納されている。
例えば、広告サーバ１２においては広告コンテンツ送信用アプリケーションがＨＤＤ１０９に格納される。広告登録サーバ２の場合は、料金算出処理機能４を実現するアプリケーション、広告登録／管理処理機能５を実現するアプリケーションがＨＤＤ１０９に格納される。広告選択サーバ３の場合は、広告選択処理機能７を実現するアプリケーション、配信制御処理機能８を実現するアプリケーションがＨＤＤ１０９に格納される。
また、それぞれの広告情報や、広告視聴端末２０に関して設定された属性情報や広告選択のための要求条件（後述の広告料金算出式）も、ＨＤＤ１０９上に蓄積しておくことができる。また、広告選択サーバ３においては、各広告情報を視聴者に露出させた広告露出ログを広告視聴履歴としてＨＤＤ１０９上で記録しておくことができる。
【００３２】
メディアドライブ１１０は、ＣＤ（Compact Disc）やＭＯ（Magneto-Optical disc）、ＤＶＤ（Digital Versatile Disc）などの可搬型メディア１２０を装填して、データ記録面にアクセスするための装置である。可搬型メディア１２０は、主として、ソフトウェアプログラムやデータファイルなどをコンピュータ可読形式のデータとしてバックアップすることや、これらをシステム間で移動（販売・流通・配布を含む）する目的で使用される。
例えば、上記のような広告コンテンツ送信用アプリケーション、料金算出処理機能４を実現するアプリケーション、広告登録／管理処理機能５を実現するアプリケーション、広告選択処理機能７を実現するアプリケーション、配信制御処理機能８を実現するアプリケーションなどを、これら可搬型メディア１２０を利用して流通・配布することができる。  また、それぞれの広告情報や広告視聴端末２０において設定された属性情報や広告選択のための要求条件も、これら可搬型メディアを利用して流通・配布することができる。勿論、各広告視聴端末２０毎に選択された広告も、広告サーバ１２からストリーミング配信するのではなく、この種の可搬型メディア１２０に格納してシステム間を移動させることも可能である。
【００３３】
なお、図２に示すようなコンピュータシステム１００としては、米ＩＢＭ社のパーソナルコンピュータＰＣ／ＡＴ（Personal Computer/Advanced Technology）の互換機又は後継機を用いることができる。勿論、他のアーキテクチャを備えた計算機システムを本実施の形態に係る各サーバ１２，２，３や広告主端末１１に適用することも可能である。
【００３４】
広告視聴端末２０は、例えば視聴者の個人の端末とした場合は図２のコンピュータシステムを利用すればよいが、例えば店舗、駅、ショッピングセンター、電車の車両内など、一般公衆が利用できるような場所に電子広告ディスプレイとして配置されものを想定した場合は、図３のような構成とされればよい。
即ち、ＣＰＵ２１，メモリ２２、コンテンツ記憶部２３、ネットワークインターフェース２４、ディスプレイコントローラ２５、表示部２６を有する。
【００３５】
ＣＰＵ２１は、メモリ２２におけるＲＯＭ領域に記憶されている制御プログラムをＲＡＭ領域に展開し、広告視聴端末２０の全体の動作を制御する。メモリ２２にはまた、ＣＰＵ２１が各種の処理を実行する上において必要なデータなどが適宜記憶される。
ＣＰＵ２１、メモリ２２は、バス２７を介して相互に接続されており、このバス２７には、各種の処理部が接続されている。
ネットワークインターフェース２４は、モデムやターミナルアダプタなどより構成され、ネットワーク３０を介して各種の情報を送受信する。即ち本例の場合、ネットワークインターフェース２４は主に、ネットワーク３０を介して広告サーバ１２からストリーミング配信される広告コンテンツの受信を行う。
ディスプレイコントローラ２５は、ＣＰＵ２１の制御に基づいて表示部２６での表示動作を実行させる。
表示部２６は、例えばＬＣＤなどによるディスプレイとされる。
【００３６】
コンテンツ記憶部２３は、利用者に提供する広告コンテンツを記憶しており、ＣＰＵ２１からの指示に基づいて、コンテンツを読み出す。
コンテンツ記憶部２３には、例えば広告サーバ１２からストリーミング配信された広告コンテンツが記憶される。
ＣＰＵ２１は、ストリーミング配信された広告コンテンツを、コンテンツ記憶部２３に格納しながらディスプレイコントローラ２５に受け渡し、広告情報の表示出力を実行させることができる。また過去にコンテンツ記憶部２３に格納した広告コンテンツを読み出してディスプレイコントローラ２５に受け渡し、表示部２６に表示させることができる。
広告視聴端末２０はこのように構成することができるが、上記のように図２のコンピュータシステムの構成であっても良い。
【００３７】
［２．広告配信システムの動作］
本例の広告配信システムにおける図１の各装置の動作として、視聴者に広告視聴が行われるまでの処理を図４，図５で説明する。
図４は、広告主１０が自分の広告コンテンツの提供に関して、広告選択業者１に登録するまでの処理を示しており、ここでは広告主端末１１の処理と、広告登録サーバ２の処理を示している。なお、図４、図５の処理は、それぞれの装置のＣＰＵ１０１（又はＣＰＵ２１）が、上述した所定のアプリケーションによって実行する処理である。
【００３８】
広告主１０側では、まずステップＦ１０１として、広告枠獲得のための処理として、広告主端末１１から広告登録サーバ２に対しての通信接続を確立させ、登録ガイド情報を要求する。登録ガイド情報とは、広告提供に関する内容の登録のための案内、料金、登録内容情報の入力などを行う情報であり、例えばインターネットウェブサイトとしてのページデータなどの形態で提供されるものであればよい。その場合、広告主端末１１は、ステップＦ１０１は広告登録サーバ２のウェブページに接続し、登録用のページにアクセスするという処理を行えばよい。もちろん、ウェブページの形態ではなく、特定の登録ガイド情報の送信を要求するものであってもよい。
【００３９】
広告登録サーバ２においては、ステップＦ２０１で広告料金の設定を行う。これは料金算出処理機能４により、広告コンテンツの表示出力に関し、表示時間、表示回数、画面内での表示出力面積、画面内での表示位置、広告表示を行う広告視聴端末２０の設置位置などの出力条件パラメータに応じての広告料金を設定する処理である。この処理で、例えば広告表示時間・場所・位置などに応じて広告表示可能時間と、単位時間当たりの標準広告表示料、表示頻度別料金などが設定され、これが例えば一覧表等にまとめられて、登録ガイド情報に組み込まれる。つまり広告主１０に対して提示する料金表となる。
広告登録サーバ２の広告登録／管理処理機能５は、ステップＦ２０２で、或る広告主端末１１からの登録ガイド情報の要求を受けたら、ステップＦ２０３で登録ガイド情報を、その広告主端末１１に送信する。
【００４０】
広告主端末１１は、ステップＦ１０２で、広告登録サーバ２からの登録ガイド情報を受信したら、それを表示装置１１２に表示させる。
広告主端末１１を操作する広告主１０は、表示された登録ガイド情報から、登録すべき内容や料金体系を確認し、また登録ガイド情報に従って登録内容情報を入力していく。例えば広告主１０の氏名／名称、住所、広告料支払い方法等の書誌的事項を入力したり、予算、或いは希望する表示回数や表示時間等の出力条件パラメータとしての値の入力を行う。また配信する広告コンテンツの識別情報や内容、表示時間などを入力しても良い。
いずれにしても広告主１０は、広告主端末１１を用いて広告登録サーバ２側で登録のために必要として設定した登録内容情報を入力する。広告主端末１１はステップＦ１０３として、これらの入力処理や、入力確定された登録内容情報を広告登録サーバ２に送信する。
【００４１】
広告登録サーバ２の広告登録／管理処理機能５は、ステップＦ２０４で、広告主端末１１からの登録内容情報を受信したら、その内容を確認するとともに、料金算出処理機能４に出力条件パラメータを受け渡す。そしてステップＦ２０５では料金算出処理機能４により、当該広告主１０に要求する広告料金を算出する。
ステップＦ２０６では、広告登録サーバ２の広告登録／管理処理機能５は、料金算出処理機能４で算出された広告料金の情報、つまり広告主１０が希望した出力条件パラメータに応じた料金見積もりの情報を、広告主端末１１に送信する。
【００４２】
広告主端末１１では、料金情報を受信したら、それを表示装置１１２に表示させる。広告主１０は、この料金情報を確認する。そして確認のうえ、登録内容を変更したい場合は、広告主端末１１において変更の操作を行う。この場合広告主端末１１の処理はステップＦ１０５からＦ１０３に戻り、出力条件パラメータなどを入力し直して、再度登録内容情報を広告登録サーバ２に送信することになる。この場合、広告登録サーバ２側では、同様にステップＦ２０４，Ｆ２０５，Ｆ２０６の処理を行って、新たに料金情報を送信してくる。
【００４３】
ステップＦ１０４で受信した料金情報を確認し、登録内容及び広告料金について了承する場合は、広告主１０は、広告主端末１１で承諾の意志を示す所定の操作を行う。この場合広告主端末１１の処理はステップＦ１０５からＦ１０６に進み、広告登録サーバ２に対して承諾情報を送信することになる。そしてステップＦ１０７で広告登録サーバ２に対する接続を解除し、登録のための処理を終える。
広告登録サーバ２の広告登録／管理処理機能５は、ステップＦ２０７で承諾情報を受信したら、ステップＦ２０８で、当該広告主１０に関する登録内容を、登録データベースに保存して、一連の登録処理を終える。
【００４４】
次に図５で、実際に広告出力を行うときの処理を述べる。
広告視聴端末２０で表示出力する広告コンテンツは、広告選択サーバ３により配信管理される。
広告選択サーバ３は、広告選択処理機能７により図５のステップＦ３０１の処理を行う。即ち、広告選択サーバ３は、広告登録サーバ２における登録データベース６に対してアクセスを行い、広告視聴端末２０に配信する広告を、登録データベース６に登録されている内容から選択する。広告登録サーバ２側では、ステップＦ２１０において、広告選択サーバ３による登録データベース６へのアクセスに対応して登録内容の読み出しや転送処理を行う。ここでは広告選択サーバ３は、例えば登録されている各内容において、広告の表示時間や表示回数等の出力条件パラメータを確認し、どの広告主のどの広告コンテンツを、どのようなタイミングで配信するかを選択することになる。
【００４５】
或る広告を選択したら、広告選択サーバ３は、配信制御処理機能８によりステップＦ３０２，Ｆ３０３の処理を行う。即ち、登録データベース６から選択された広告について、その広告主端末１１に対して、広告配信要求を送信する。
また広告を出力する広告視聴端末２０に対して、当該選択した広告の登録内容を送信する。
【００４６】
広告主端末１１では、ステップＦ１１０で広告配信要求を受信したら、ステップＦ１１１で、要求を受けた広告コンテンツについて広告サーバ１２から広告視聴端末２０に対して配信させる。
広告視聴端末２０では、ステップＦ４０１で広告選択サーバ３からの登録内容の情報を受信したら、それを記憶する。そしてステップＦ４０２で広告サーバ１２から広告コンテンツを受信したら、ステップＦ４０２でそれを一旦コンテンツ記憶部２３に格納するとともに、その後、或いは同時に、ステップＦ４０３で表示部２６に表示出力させる。このとき、登録内容情報として示されている表示回数、表示時間、表示面積、表示領域内の位置・・・等に応じた表示出力を行う。
【００４７】
以上の処理で、広告主の広告コンテンツが広告視聴端末２０で表示され、視聴者に提示されることになる。
広告選択サーバ３は、登録データベース６に登録された多数の広告主の多数の広告に関し、上記の処理を行うことで、各広告主の料金や出力条件パラメータに応じた広告出力が、広告視聴端末２０において実行されることになる。
【００４８】
［３．広告料金算出処理］
上記のような広告配信までの処理において、図４のステップＦ２０１，Ｆ２０５では、料金算出処理機能４による料金算出処理が行われる。
この料金算出処理は、図６に示すように、ステップＦ５０１で出力条件パラメータを設定し、ステップＦ５０２で、所定の料金算出式を用いて広告料金を算出するという処理を、広告登録サーバ２のＣＰＵ１０１において実行することになる。
例えば図４のステップＦ２０５での料金算出処理は、図６のステップＦ５０１として、広告主端末１１から送信されてきた登録内容情報に含まれている出力条件パラメータを取り出す処理となる。そしてステップＦ５０２で、料金算出式に、出力条件パラメータを代入して料金を求める。
本例の場合、この料金算出式は、出力条件パラメータの線形的な増加に対して、その線形的な増加よりも大きな度合いで広告料金が増加するようにした算出式である。
以下、この料金算出式の例を挙げていく。
【００４９】
＜算出例１＞
この例１においては、配信される広告が広告視聴端末２０に表示される時間を総合的に勘案して、特定の広告主の利益に偏らず、広告配信システム全体の利益が最大となるような広告料金を設定するものである。具体的には、広告料は、広告の表示時間に応じて、指数関数的に変化する。
広告料の算出式は、
Ｐ・Ａ(Tk/T-1)
とする。ただし、
Ｐ：標準広告表示時間・１スロット（１表示）あたりの広告料
Ａ：広告表示時間に対する固定設定値（Ａ＞１）
Ｔ：所定時間あたり標準広告表示時間
Ｔｋ＝Σｔｋｎ：広告主ｋの所定時間内の広告表示時間
（該所定時間内にｎスロットの広告主ｋの広告を配信することを意味する）
である。なお、Ｔtotal＝ΣＴｋ：所定時間（例：１時間）である。
【００５０】
この場合、例えば、１時間内標準１スロットを１５秒とし、１スロットあたりの広告料を１０００円とすると、
Ｐ＝１０００，  Ｔ＝１５
となる。ここで、広告の表示時間が２倍になったときに、広告料を２倍としたい場合には、上記算出式において、Ａ＝２とすればよい。
すなわち、広告表示時間が３０秒となると、Ｔｋ＝３０となって、
１０００×２(30/15-1)＝１０００×２(2-1)＝１０００×２1＝１０００×２＝２０００（円）
と広告料は２倍になる。
また、この場合には、表示時間がさらに３倍（４５秒）となれば、同様の計算により広告料は４倍となる。
この料金設定例による広告表示時間と広告料を表にまとめると、次の（表１）のようになる。
【００５１】
【表１】
2007183863.tif 000003
【００５２】
この表１から、広告表示時間の増加に対して広告料は指数関数的に増加していくことがわかる。このことは、一広告主の広告を表示する時間が長くなるほど、それに支払う広告料は飛躍的に増加することを意味しており、特定の広告主の広告だけが数多く表示される傾向が緩和される。
これにより、小口広告主にもその広告が選択され表示される可能性が高くなる。
大口の広告主に対しても、表示時間を制限されることはなく、多額の広告料を支払えば、自らの広告が長時間表示されることになり、広告枠の自由競争自体は損なわれない。
このことは広告選択業者に対しても、多額の広告料収入が得られる可能性が残されており、たいへん有益と言える。
また、広告を見る視聴者にとっても、特定の広告主の広告ばかりを目にするよりも、いろいろな広告主の広告や、多種多様な商品やサービスの広告を視聴する可能性が高くなり、多くの選択肢の中から自分に合った商品、サービスを選択することが可能となる。
なお、表示時間に対する広告料増加の度合いは、上記算出式におけるＡのパラメータ値（Ａ：広告表示時間に対する固定設定値）を適宜調整すればよいことは言うまでもない。この例の場合Ａは１より大きくしているが、より好ましくは２以上とするのが望ましい。
【００５３】
＜算出例２＞
この例２は、広告料は、広告の表示回数に応じて、指数関数的に変化するものとする。
広告料の算出式は、
Ｐ・Ｂ(Hk/H-1)
とする。ただし、
Ｐ：標準広告表示時間・１スロットあたりの広告料
Ｂ：広告１スロットに対する固定設定値（Ｂ＞１）
Ｈ：所定時間あたり標準のスロット数
Ｈｋ：広告主ｋの所定時間内の広告表示回数
【００５４】
この算出式の場合、例えばスロット数が倍になると広告料２倍としたいには、Ｂ＝２とすればよい。この場合も、所定時間に１スロットの広告が表示される場合の広告料を１０００円とすると、
Ｐ＝１０００，  Ｈ＝１
となる。
その所定時間内に２スロットの広告が表示される場合、上記算出式におけるＨｋは、Ｈｋ＝２となって、広告料は、
１０００×２(2/1-1)＝１０００×２(2-1) ＝１０００×２1 ＝１０００×２＝２０００（円）
となる。スロット数がさらに３倍となれば、Ｈｋ＝３となって、同様の計算により広告料は４倍となる。
この算出例による広告表示時間と広告料をまとめると（表２）のようになる。
【００５５】
【表２】
2007183863.tif 000004
【００５６】
この表２から、広告表示回数の増加に対して広告料は指数関数的に増加していくことがわかる。
このように広告料が、広告の表示回数に対して指数関数的に増加していくことは、一広告主の広告を表示する時間が長くなるほど、それに支払う広告料が飛躍的に増加することを意味しており、上記の算出例１と同様、特定の広告主の広告だけが数多く表示される傾向が緩和される。これにより、小口広告主にもその広告が選択され表示される可能性が高くなる。
また、広告を見る視聴者にとっても、特定の広告主の広告ばかりを目にするよりも、いろいろな広告主の広告や、多種多様な商品やサービスの広告を視聴する可能性が高くなり、多くの選択肢の中から自分に合った商品、サービスを選択することが可能となる。
表示回数に対する広告料増加の度合いは、Ｂのパラメータ値（Ｂ：広告１スロットに対する固定設定値）を適宜調整すればよいことは言うまでもない。この例の場合Ｂは１より大きくしているが、より好ましくは２以上とするのが望ましい。
【００５７】
なお、以上の算出例１，算出例２においても、広告の重複表示を禁止したり、表示時間や表示回数の上限を設けるようにしてもよい。
【００５８】
＜算出例３＞
算出例３は、広告の表示時間および表示回数を考慮に入れてたものである。
広告料の算出式は、
Ｐ・（Ｔｋ／Ｔ）m・（Ｈｋ／Ｈ）m
とする。ただし、ｍ＞１である。
なお、この算出式内の各種パラメータ（Ｐ、Ｔｋ、Ｔ、Ｈｋ、Ｈ）は、上記算出例１，２で述べたものと同じである。
すなわち、この例では広告の表示時間および表示回数をともに考慮に入れ、広告料は広告表示時間や表示回数の線形的な増加よりも大きく増加するため、一広告主の広告を表示する時間が長くなるほど、それに支払う広告料は飛躍的に増加し、特定の広告主の広告だけが数多く表示される傾向が緩和される。
なお、指数ｍは１より大きくしているが、２以上としてもよい。
【００５９】
＜算出例４＞
算出例４は、広告の表示面積により広告料金を算出する例である。
広告料の算出式は、
Ｑ・Ｃ(Sj/S-1)
とする。但し、
Ｑ：標準広告表示面積あたりの広告料
Ｃ：広告表示面積に対する固定設定値（Ｃ＞１）
Ｓ：標準広告表示面積
Ｓｊ＝広告ｊの広告表示面積
なお、Ｓtotal＝ΣＳｊは、広告視聴端末２０の表示部２６の表示総面積である。
【００６０】
この例の場合、上記算出式に従い、広告料は広告表示面積の線形的な増加よりも大きく増加するため、一広告主の広告を表示する面積が広くなるほど、それに支払う広告料は飛躍的に増加し、特定の広告主の広告だけが広告表示装置に独占・寡占的に表示される傾向が緩和される。
この例の場合Ｃは１より大きくしているが、より好ましくは２以上とするとよい。
なお、出力条件パラメータとして広告表示面積を用いることに加えて、例えば上記算出例３のように、他の出力条件パラメータ（表示回数や表示時間）と組み合わせて広告料を算出しても良い。
【００６１】
＜算出例５＞
この例は、広告表示装置（広告視聴端末２０）の表示部２６における表示領域内で広告を表示する位置によって広告料金を算出するものである。ここでは、表示領域内での広告を表示する位置、具体的にはその広告を表示する範囲の中心の、表示領域の中心からの距離の逆数に応じて広告料を決定するものである。
広告料の算出式は、
Ｒ・Ｅ(ri/r-1)
とする。但し、
Ｒ：表示部２６の表示領域の中心から所定の距離ｄでの広告料
Ｅ：広告の表示位置（具体的には、表示領域の中心の位置からの距離）に対する固定設定値（Ｅ＞１）
ｒ：表示領域の中心の位置からの距離ｄの逆数の設定基準値
ｒi：表示領域の中心のから広告ｉの表示中心までの距離ｄiの逆数
【００６２】
この場合、広告視聴端末２０における表示部２６の表示領域内で一番注目されるのは、その表示領域の中心であると考えられるので、そこからの距離が大きくなるほど広告料が少なくなるようにするものである。
広告料は、ｒi／ｒ、すなわち距離ｄiの逆数ｒiが増加するに従って、増加するように決定されることになり、換言すれば、表示領域の中心に近づくにつれて、広告料は、その線形的な度合いよりも大きな度合いで増加していく。
【００６３】
なお、ここでは、広告の表示領域内で一番注目されると思われる中心からの距離に応じて広告料を算出するとしたが、特にこれに限定されることはなく、所定の位置からの距離に対して上記算出式を適用して、広告料を算出するようにしてもよい。
また、この例の場合Ｅは１より大きくしているが、より好ましくは２以上とするのが望ましい。
【００６４】
＜算出例６＞
この例は、広告視聴端末２０の配置場所に応じて料金を算出する例である。
多くの人が集まる・往来する広場や駅など場所において、所定の地点から広告視聴端末２０までの距離に応じて、広告料を決定する。具体的には、上記の算出例５の算出式において、各パラメータを以下のように読み替える。
Ｒ：所定地点から所定距離での広告料
Ｅ：広告視聴端末２０の位置（具体的には、上記所定地点からの距離）に対する固定設定値（Ｅ＞１）
ｒ：上記所定地点から広告視聴端末２０までの距離ｄの逆数の設定基準値
ｒi：上記所定地点から広告視聴端末２０ｉまでの距離ｄiの逆数
【００６５】
所定の地点は、広告が一番注目を受ける、人が集まる中心地などを候補として選ぶのが妥当である。
所定地点の場所は、特に上記に限定されるものではなく、広告主や広告選択業者の希望により適宜設定することができる。
この例の場合Ｅは１より大きくしているが、より好ましくは２以上とするとよい。
【００６６】
［４．実施の形態の効果及び変形例］
以上、実施の形態について説明してきたが、上記のような算出式で広告料金を決定し、図４，図５の動作で広告配信を行うことにより、自由競争を阻害することなく、特定の広告主の広告、もしくは特定の広告のみが優先的に多く表示・放映・配信されるのを回避し、小口広告主の広告が表示される機会が増える可能性を高めることができる。またこれによって広告の視聴者が、多種多様な広告を視聴できる状況を促進することが可能となる。
【００６７】
なお、広告料金算出方式や、広告配信システムにおいては、次のような各種変形例が想定される。
まず上記の算出式の例では、広告の表示時間、表示面積、広告表示領域内での位置および広告視聴端末２０の位置についてそれぞれ単独の例を示したが、上記の複数の例を加算・乗算して組合せて広告料を算出してもよい。
【００６８】
また実施の形態の広告配信システムでは、広告サーバ１２を広告主１０が運営し、広告選択業者１の広告選択サーバ３からの配信要求に基づいて広告サーバ１２が広告を配信する例について述べたが、広告サーバ１２は広告選択業者１が所持し、複数の広告主１０の広告を一括管理・配信するようにしてもよい。
【００６９】
また、上記例では広告のみを表示する例を示したが、映像コンテンツなどのコンテンツを提供すなわち配信サービスするコンテンツ提供者が運営するコンテンツサーバを加え、広告をコンテンツの中に挿入して配信するという形態をとることも可能である。
その場合には、ユーザーは、広告視聴端末２０を介して、コンテンツ・広告の配信サービスを受けることができる。広告視聴端末２０は、ネットワーク３０を介してコンテンツサーバと接続されるようにすれば、ユーザーは、広告視聴端末２０を操作することにより、コンテンツサーバが提供する動画像などのコンテンツを指定することができる。コンテンツサーバがストリーミング配信技術を実装し、且つ、広告視聴端末２０（或いはユーザーが所有する端末等）上で動画再生ソフトウェアをインストールしておくことで、ユーザーは要求したコンテンツをリアルタイムで再生すなわち視聴することができる。
また、コンテンツサーバは、同様にネットワーク経由で、広告サーバ１２や広告選択サーバ３と接続されており、ユーザーから要求された配信コンテンツに挿入すべき広告情報の要求、すなわち広告選択要求を発行することができるようにしてもよい。その場合には、広告選択サーバ３から選択・返信された広告情報を広告サーバ１２から取得して、これをコンテンツ中に挿入することで、当該広告を広告視聴端末２０上で露出させることができる。
さらに、コンテンツサーバは、広告視聴端末２０上での広告情報の露出を検出する機能を備え、広告露出時には、広告選択サーバ３に広告露出ログを送信するようにしてもよい。例えば、コンテンツサーバ上に、広告選択要求や広告露出ログ送信などの拡張機能を実現するためのプラグインソフトウェアをインストールしておけばよい。
このような場合、広告選択サーバ３は、視聴者プロファイル、広告属性同様、コンテンツ属性のデータベースとネットワークを介して接続するようにし、コンテンツサーバからの広告選択要求を受理すると、要求内容とデータベースの内容に応じて、コンテンツとともに露出表示すべき広告情報を選択して、その選択結果を応答として返信するようにしてもよい。また、広告選択サーバ３は、コンテンツサーバから広告表示（露出）ログを受理すると、これを広告視聴履歴としてデータベースに保存する機能を持つようにしてもよい。
【００７０】
広告の配信に当たっては、広告選択サーバ３は、広告視聴端末２０から指定されたコンテンツに最適広告情報を組み込んで、ＳＭＩＬ（Synchronized Multimedia Integrated Language）形式データとして、広告視聴端末２０にコンテンツ配信するようにしてもよい。
ここで、ＳＭＩＬ（Synchronized Multimedia Integrated Language）とは、Ｗ３Ｃ（WWW Consortium）で仕様策定された、独立したマルチメディアオブジェクトを同期的に表示するための統合化技術のことである。ＳＭＩＬフォーマットによれば、オーディオやビデオのマルチメディアプレゼンテーションにおける時間的な振る舞い、画面上のプレゼンテーションのレイアウトなどの記述を行うことができる。
【００７１】
また、本出願人が先に出願した特開２００２−３６６８３３号公報に詳述されているように、コンテンツ、広告情報、並びに視聴者に設定された属性情報や広告選択のための要求条件（ＯＰＴＩＮＯＵＴ情報）をデータベース登録しておき、ある視聴者が視聴要求したコンテンツに挿入すべき広告情報をこれらデータベースに基づいてマッチング処理して、コンテンツ／広告配信システム全体の利益が最大となる広告情報を選択することも可能である。
この場合、コンテンツ、広告情報、並びに視聴者に設定された属性情報や広告選択のための要求条件（ＯＰＴＩＮＯＵＴ情報）は、ネットワーク経由でシステム間を移動させることができる。
【００７２】
また、上述した実施の形態では、広告選択サーバ３、広告サーバ１２，広告登録サーバ２（登録データベース）等についてそれぞれ独立したマシン（例えばコンピュータシステム）を用いたが、単一のパーソナルコンピュータ等を共用して機能を一箇所に集約することも可能である。
【００７３】
また、上述した実施の形態では、広告コンテンツは、例えば動画を想定しているが、勿論、静止画や音声、ＨＴＭＬ（Hyper Text Markup Language）ファイルなどの形式で広告コンテンツの配信サービスを行うことも可能である。
広告視聴端末２０での出力形態も、映像出力のみ、映像と音声出力、音声出力のみなどがそれぞれ考えられる。
【００７４】
広告視聴端末２０は、例えば公共の場所に設置される端末であったり、ユーザーが所有するパーソナルコンピュータ等のユーザー端末であるとしたが、例えば、携帯電話やＰＤＡ（Personal Digital Assistant）などのモバイル端末や、双方向通信サービスを行っているデジタルＴＶの端末向けサービスなどとして構築される広告配信システムにも本発明を適用することができる。
【００７５】
本発明の広告料金算出プログラムは、コンピュータシステム等の情報処理装置における記録媒体としてのシステムＨＤＤや、ＣＰＵを有するマイクロコンピュータ内のＲＯＭ等に予め記録しておくことができる。
あるいはまた、広告料金算出プログラムは、フレキシブルディスク、ＣＤ−ＲＯＭ(Compact Disc Read Only Memory)、ＭＯ(Magnet optical)ディスク、ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウェアとして提供することができる。例えばＣＤ−ＲＯＭ、ＤＶＤ−ＲＯＭ等により提供されることで、コンピュータシステムにインストールできる。
また広告料金算出プログラムは、リムーバブル記録媒体からインストールする他、ダウンロードサイトから、ＬＡＮ(Local Area Network)、インターネットなどのネットワークを介してダウンロードすることもできる。
そして広告料金算出プログラムが記録されたあらゆる記録媒体は、本発明の記録媒体に相当する。
【図面の簡単な説明】
【００７６】
【図１】本発明の実施の形態の広告配信システムの説明図である。
【図２】実施の形態の広告配信システムを構成するコンピュータシステムのブロック図である。
【図３】実施の形態の広告視聴端末のブロック図である。
【図４】実施の形態の広告登録処理のフローチャートである。
【図５】実施の形態の広告配信処理のフローチャートである。
【図６】実施の形態の料金算出処理のフローチャートである。
【符号の説明】
【００７７】
１  広告選択業者、２  広告登録サーバ、３  広告選択サーバ、４  料金算出処理機能、５  広告登録／管理処理機能、６  登録データベース、７  広告選択処理機能、８  配信制御機能、１０  広告主、１１  広告主端末、１２  広告サーバ、２０  広告視聴端末、３０  ネットワーク
【図１】
2007183863.tif 000005
【図２】
2007183863.tif 000006
【図３】
2007183863.tif 000007
【図４】
2007183863.tif 000008
【図５】
2007183863.tif 000009
【図６】
2007183863.tif 000010